(57)【要約】【課題】録画されたコンテンツのタイトル名が長く似通っている場合、タイトル名の一覧表示で各タイトルの判別がつきにくい。またそのようなタイトルを特徴部分だけを残して編集しようとしたときに、１つ１つタイトル名を変更していくのは煩わしい。【解決手段】各コンテンツのタイトル名を特徴的なパターンを用いて要素に分解する。そして得られた各タイトルの特徴要素を比較することで、タイトル名の差異要素と共通要素を特定する。一覧時にはこの差異要素からなる省略タイトルを表示する。また複数のコンテンツのうちの１つをユーザがタイトル名編集した場合に、上記の要素を利用して編集対象となった要素がどれかを判別し編集情報を記憶、編集操作対象でないコンテンツに関しても同様の規則で編集候補タイトル名生成し、それらを用いて各タイトル名を一括編集できるようにする。【選択図】図３
2009118227.tif 000002
【特許請求の範囲】
【請求項１】
ＥＰＧ録画されたコンテンツのタイトル名表示を行う表示方法において、
特徴的なパターンを用いて、複数のタイトル名を要素に分解する要素分解ステップと、
前記要素分解ステップで分解された要素どうしを比較して、共通要素群と差異要素群に振り分ける要素群生成ステップを備え、
前記要素群生成ステップで生成された差異要素群を用いて差異タイトル名を生成してタイトル名表示に用いることを特徴とする表示方法。
【請求項２】
ＥＰＧ録画されたコンテンツのタイトル名表示を行う表示方法において、
特徴的なパターンを用いて、複数のタイトル名を要素に分解する要素分解ステップと、
前記要素分解ステップで分解された要素どうしを比較して、共通要素群と差異要素群に振り分ける要素群生成ステップと、
前記要素群生成ステップで生成された共通要素群と差異要素群とを用いて、編集対象のコンテンツの変更前タイトル名とユーザが入力した変更後タイトル名を比較し、共通要素群と差異要素群の編集情報を記憶する編集情報記憶ステップと、
前記編集情報記憶ステップで生成された差異要素群を用いて差異タイトル名を生成してタイトル名表示に用いることを特徴とする表示方法。
【請求項３】
編集操作対象でないコンテンツのタイトル名と、前記編集情報記憶ステップで記憶された編集情報を用いて、編集候補タイトル名を自動生成する編集候補タイトル名生成ステップとをさらに有し、編集操作対象のタイトル名編集時に、編集操作対象でないコンテンツに対しても一括編集を行えることを特徴とする、請求項２に記載の表示方法。
【請求項４】
請求項１から請求項３のいずれかの請求項に記載の表示方法でタイトル名を表示することを特徴とする情報記録装置。
【請求項５】
請求項１から請求項３のいずれかの請求項に記載の表示方法でタイトル名を表示することを特徴とするプログラム。
【請求項６】
請求項５に記載したプログラムを記録した媒体。
【発明の詳細な説明】
【技術分野】
【０００１】
本発明は、録画されたコンテンツの表示、及びその表示を行なう情報記録装置に関するものである。
【背景技術】
【０００２】
ＥＰＧを用いて録画されたコンテンツの再生装置において、シリーズ物のコンテンツなどはタイトル名が似通ったものになることが多い。そのような場合、タイトル名の表示時にタイトル名全体を文字列比較して共通文字を省略して表示することで表示画面を見やすくする方法が考えられている。また「第○回」のような部分で「第」や「回」が省略されてしまわないように、共通文字列とみなすための最低文字数を指定することが提案されている。（特許文献１参照）
しかしこのような単純な文字列の比較では適切な省略タイトル名を生成できない場合も多い。例えばタイトル名の先頭にはＥＰＧ特有の［二］や［字］といった短い文字列の共通項目があるが、これらは最低文字数を指定した場合省略されなくなってしまう。
【０００３】
さらに省略するべき文字列であっても、タイトル名中に現れる位置が異なる場合には同じ文字列とは認識されず省略されなかったり、たまたまタイトル名中の同じ位置に現れた同一の文字列を誤って省略してしまう可能性も高い。
【０００４】
また根本的な解決として、そうした冗長なタイトル名を編集して特徴的な部分だけを残す方法がある。しかしそのような作業を複数タイトルに対して行う場合には通常ひとつひとつユーザが各タイトル名を編集することになり煩わしい。また共通の文字列に連番の添え字を付加することで複数のタイトル名を一度に編集する方法も提案されているが、これでは連番以外の特徴文字列を各タイトルに与えることができない。（特許文献２）
【特許文献１】特開２００７−１０４３６６号公報
【特許文献２】登録実用新案第３１２７４７５号公報
【発明の開示】
【発明が解決しようとする課題】
【０００５】
似通ったタイトル名の特徴的な部分を的確に捉えて省略表示を行うこと、および、複数のタイトル名を編集する際のわずらわしさを軽減することを課題とする。
【課題を解決するための手段】
【０００６】
本発明では、タイトル名同士を単純に文字列同士として比較するのでは、要素という単位に一度分解して空要素同士で比較する。このために装置はタイトル名を要素に分解する要素分解部と、要素同士を比較する要素群生成部をもつ。
【０００７】
要素分解部ではタイトル名文字列に含まれる［？？］や「？？？？？」や第？回  のような特徴的なパターンを用いてタイトル名を要素（部分文字列）に分解する。
【０００８】
要素群生成部では各タイトルから得た各要素どうしを比較して、各タイトルに共通に含まれている共通要素群と、そうではない差異要素群とに分類する。タイトル名表示時には差異要素群をつなげて作成した文字列を、各タイトルの省略タイトル名として用いる。タイトル名編集時には、さらに編集情報記憶部および編集候補タイトル名生成部を備える。ユーザがひとつのタイトル名に対して短く省略した編集名を入力した際に、まず編集情報記憶部が上述の要素への分解結果を用いてどの要素がどのように編集されたかを記憶する。
【０００９】
さらに、編集候補タイトル名生成部は編集情報記憶部が記憶した情報をもとに、他タイトル名に対しても同様の規則で編集候補タイトル名を生成する。
【発明の効果】
【００１０】
まず各タイトル名を差異部分だけを残して省略表示することが可能である。特にパターンを用いて要素を見つけるので［二］や［字］といった短い文字列も、共通要素として判別してタイトル名の省略対象にすることが可能である。またタイトル名の同じ位置に偶然同じ文字列があっても、要素として異なっていればそれらを誤って省略してしまうことはない。
【００１１】
次にタイトル名編集時に、ひとつのタイトル名を編集しただけで、他のタイトルに対しても編集候補タイトル名を提示して容易に一括編集することができる。各要素にどのように編集したかを利用するので、もともと含まれていた「第？回」のような表現を「？回」「第？話」など自由に変更して各タイトルを一括編集できる。
【発明を実施するための最良の形態】
【００１２】
以下に本発明を用いた例を説明する。
【００１３】
（実施の形態１）
図２は、本発明の再生装置によるタイトル名表示の画面例である。
「［二］［ＨＶ］学び楽しむ  −日本語のかたち−  第４回  ＧＧ」
「［二］［ＨＶ］学び楽しむ  −人生の楽しみ−  第５回  ＧＧ」
「［二］［ＨＶ］学び楽しむ  −こだわりの生き方−  第６回  ＧＧ」
という似通った３つのタイトルがあったとき、通常の再生装置では図１のように意味のある後半がとぎれてしまうので各タイトルの判別がつきにくいが、本発明では無駄な共通部を省略して表示するので判別しやすい。省略タイトル名を生成する際には図３に示す機構を用いる。
【００１４】
（実施の形態２）
図４は、本発明の再生装置によるタイトル名編集の機構である。タイトル１が編集された場合に、残りのタイトル２〜ｎについても同様の規則で編集候補タイトルが生成される。
たとえばユーザが「［二］［ＨＶ］学び楽しむ  −日本語のかたち−  第４回  ＧＧ」というタイトルを「  学び第４回［日本語のかたち］」  と編集した場合に、その他のタイトルに対しても自動的に「  学び第５回［人生の楽しみ］」「  学び第６回［こだわりの生き方］」というふうに編集候補タイトル名が生成される。ユーザはそれらの編集候補タイトルを用いてそれらを一括して編集できる。ユーザは必要ならば各編集候補タイトルに微修正を加えることもできる。
【産業上の利用可能性】
【００１５】
本発明は音声・映像の記録再生を行う情報記録装置に用いることができる。
【図面の簡単な説明】
【００１６】
【図１】通常の再生装置によるタイトル名表示の画面例を表した図
【図２】本発明の再生装置によるタイトル名表示の画面例を表した図
【図３】本発明による再生装置の省略タイトル名生成機構の図
【図４】本発明による再生装置の編集候補タイトル名生成機構の図
【図１】
2009118227.tif 000003
【図２】
2009118227.tif 000004
【図３】
2009118227.tif 000005
【図４】
2009118227.tif 000006